(57)【要約】      （修正有）【課題】面倒で細かな縫い付け作業を要することなく簡単に小物入れを作ることが可能な口金を提供するとともに、そのような口金を用いた小物入れを提供する。【解決手段】口金１は、両端部の回動部２１により回動可能に連結された一対のフレーム２と、互いに係合してフレーム２を閉じる係止突起３とを備える。各フレーム２は、互いに離間する方向に湾曲した曲部２３を有し、係止突起３が係合されたとき対向するフレーム２間に、隙間２５が設けられる。曲部２３は、開いた状態のフレーム２における回動部２１の両側に配設されている。【選択図】図２
2020018491.tif 000002
【特許請求の範囲】
【請求項１】
両端部が回動可能に連結された一対のフレームと、
前記各フレームに設けられ、互いに係合して前記フレームを閉じる係止突起とを備える口金であって、
前記各フレームは互いに離間する方向に湾曲した曲部を有し、前記係止突起が係合されたとき対向するフレーム間に隙間が設けられることを特徴とする口金。
【請求項２】
請求項１に記載の口金において、
各フレームは、両端部に、連結軸を介して前記フレーム同士を連結する回動部を備え、
前記曲部は、開いた状態の前記一対のフレームにおける前記回動部の両側に配設されていることを特徴とする口金。
【請求項３】
請求項１または２に記載の口金において、
前記係止突起は、前記フレームに結合された支持部と、前記支持部の先端に設けられた係合部とを備え、
前記係合部は、前記フレームの全体が密接せずとも係合可能な大きさを有することを特徴とする口金。
【請求項４】
請求項１〜３のいずれか１つの請求項に記載の口金において、
前記フレームは、断面形状が円形または楕円形の閉断面の棒状体により形成されていることを特徴とする口金。
【請求項５】
請求項１〜４のいずれか１つの請求項に記載の口金と、袋状の本体部とを有する小物入れであって、
前記本体部は編物により構成され、
前記口金は、前記フレームが前記本体部に編み込まれていることを特徴とする小物入れ。
【発明の詳細な説明】
【技術分野】
【０００１】
本発明は、口金およびその口金を用いた小物入れに関する。
【背景技術】
【０００２】
財布やポーチ等の袋状の小物入れの開口部に取り付けられる口金は、例えば特許文献１に開示されるように、開閉可能に連結された一対のフレームと、これらのフレームにそれぞれ設けられた係止突起とを備えている。このような小物入れは、がま口とも呼ばれ、口金の係止突起を係合させることで、フレーム同士を密接させて開口部を閉じた状態にすることができる。
【０００３】
近年では、このような口金と、毛糸などの好みの糸とを用いて、がま口を手作りすることも楽しまれている。がま口は、かぎ針編みなどで作成した編地を口金に取り付けて作られている。
【０００４】
図８および図９に示すように、この種のがま口に用いられる従来の口金７０には、略円弧状のフレーム７０ａの縁部に沿って多数の取り付け孔７４が設けられている。作成された編地７３は、針と糸７５とを用いて、取り付け孔７４を介して口金７０に縫い付けられる。図８に示すがま口８０では、フレーム７０ａの内側に編地７３の端部が取り付けられている。また、図９に示すがま口９０のように、編地７３の端部をフレーム７０ａの外側に被せて、糸７５で縫い付けられるものもある。
【先行技術文献】
【特許文献】
【０００５】
【特許文献１】特開２０００−１１２号公報
【発明の概要】
【発明が解決しようとする課題】
【０００６】
前記従来の口金７０は、開口部を閉じる２本のフレーム７０ａが、それぞれ、取り付け孔７４を備える外側フレーム材７１と、閉じたときに当接する部分となる内側フレーム材７２（図９参照）とを含む溝状の断面形状を有する。図８に示すように、口金７０を閉じると、内側フレーム材７２同士は密接に当たって開口部を閉じるものとなる。外側フレーム材７１の取り付け孔７４は、綿糸などの細い糸７５と、その糸７５を通した針とが通る程度の大きさの孔とされている。
【０００７】
がま口８０、９０を手作りする際には、編地７３を構成する毛糸などの糸と、口金７０に縫い付けるための糸７５とで、糸の種類が異なる。そのため、編地７３を作成した後、糸を取り替え、針を持ち替え、小さな取り付け孔７４に編地７３をひと目ひと目、縫い付けなければならず、編地７３の縫い付け作業が苦手であったり、面倒に感じたりするという意見があった。
【０００８】
本発明は、前記のような事情にかんがみてなされたものであり、その目的とするところは、面倒で細かな縫い付け作業を要することなく簡単に小物入れを作ることが可能な口金を提供するとともに、そのような口金を用いた小物入れを提供することにある。
【課題を解決するための手段】
【０００９】
前記の目的を達成するための本発明の解決手段は、両端部が回動可能に連結された一対のフレームと、前記各フレームに設けられて互いに係合する係止突起とを備える口金を前提とし、前記各フレームは互いに離間する方向に湾曲した曲部を備えて、前記係止突起が係合されたとき対向するフレーム間に隙間が設けられるように構成したことを特徴としている。
【００１０】
この特定事項により、前記フレーム間に設けられる隙間に、布や糸などの各種素材が挟まれた状態であっても、前記係止突起を係合させることが可能となり、口金の用途も広げることが可能となる。
【００１１】
前記口金における、より具体的な構成として次のものが挙げられる。すなわち、前記フレームは、両端部に、連結軸を介して該フレーム同士を連結する回動部を備えて構成され、前記曲部は、開いた状態の前記一対のフレームにおける前記回動部の両側に配設されていることが好ましい。これにより、前記係止突起を係合させた状態でも前記隙間を設けた構成とすることができる。
【００１２】
また、前記構成の口金において、前記係止突起は、前記フレームに結合された支持部と、前記支持部の先端に設けられた係合部とを備えて、前記係合部は、前記フレーム同士の全体が密接せずとも係合可能な大きさを有することが好ましい。これにより、前記係止突起の係合の強度を高めることが可能となる。
【００１３】
また、前記構成の口金において、前記フレームは、断面形状が円形または楕円形の閉断面の棒状体により形成されていることが好ましい。これにより、前記フレームをシンプルな構成とすることができ、口金の用途を広げることも可能となる。
【００１４】
また、前記構成の口金と、袋状の本体部とを有する小物入れも本発明の技術的思想の範疇にあり、前記本体部は編物により構成され、前記口金は、前記フレームが前記本体部に編み込まれていることを特徴としている。この特定事項により、前記本体部を構成する糸と同種の糸を用いて、前記口金のフレームに前記本体部を取り付けることが可能となる。
【発明の効果】
【００１５】
本発明により、細かな縫い付け作業等を要することなく、袋状の小物入れを作ることが可能な口金と、その口金を用いた小物入れを提供することが可能となる。
【図面の簡単な説明】
【００１６】
【図１】本発明の実施の形態に係る口金を示す正面図である。
【図２】前記実施の形態に係る口金の側面図である。
【図３】前記実施の形態に係る口金を開いた状態を示す斜視図である。
【図４】前記実施の形態に係る口金の係合状態を示す側面図である。
【図５】本発明の実施の形態に係る小物入れを示す側面図である。
【図６】前記実施の形態に係る小物入れの斜視図である。
【図７】前記小物入れを開けた状態を示す斜視図である。
【図８】従来の口金を用いたがま口の例を示す斜視図である。
【図９】従来の口金を用いたがま口の他の例を示す斜視図である。
【図１０】従来の口金を示す側面図である。
【発明を実施するための形態】
【００１７】
以下、本発明の実施の形態に係る口金およびそれを用いた小物入れについて、図面を参照しつつ説明する。
【００１８】
図１〜図４は、実施の形態に係る口金１を示しており、図１は口金１の正面図、図２は側面図、図３は口金１を開いた状態を示す斜視図、図４は口金１の係合状態を説明する側面図である。
【００１９】
図１および図２に示すように、口金１は、両端部が回動可能に連結された一対のフレーム２と、各フレーム２に設けられて互いに係合する係止突起３とを備えている。
【００２０】
一対のフレーム２は、例えば略コ字状の正面形状に形成されている。また、１本のフレーム２は、断面形状が円形または楕円形の閉断面の棒状体により形成されている。フレーム２の両端部には、回動部２１が設けられている。回動部２１は、偏平状に形成されて、図示しない連結孔が設けられている。一方のフレーム２の回動部２１は、他方のフレーム２の回動部２１に重ね合わされて、連結軸２２を介して回動可能に連結されている。
【００２１】
図１に示すように、フレーム２の幅方向の中央部２４付近には、係止突起３が備えられている。係止突起３は、フレーム２に結合された支持部３１と、支持部３１の先端に設けられた係合部３２とを有している。一方のフレーム２には、図１における図中左側方向から右側上方へ延びる支持部３１の先端部に、係合部３２が結合されている。他方のフレーム２には、同図中、右側方向から左側上方へ延びる支持部３１の先端部に、係合部３２が結合されている。各係合部３２は略球形を有している。
【００２２】
口金１は、２つの係合部３２を互いに係合させることで閉じることができる。係止突起３を係合させてフレーム２同士の中央部２４が密着すると、係合部３２は完全係合状態となる。また、２つの係合部３２を互いに離脱させると、図３に示すように、回動部２１を中心として２本のフレーム２が回動し、口金１を開くことができる。係合部３２の離脱操作は、２つの係合部３２を摘んで捻るようにするだけで、容易に行うことができる。
【００２３】
図１０に示すように、従来の口金７０の場合には、係止突起７６において、係合された２つの係合部７７が、口金７０の厚みｔ10内に納まる大きさで形成されていた。すなわち、略球形とされた係合部７７の直径は、閉じられた口金７０の厚みｔ10よりも小さいものとされていた。
【００２４】
これに対して、実施の形態に係る口金１は、係止突起３の係合部３２が従来のものよりも大きく形成されている。例えば図２に示すように、閉じられた口金１において、係合した２つの係合部３２は、少なくとも、支持部３１が取り付けられたフレーム２の中央部２４における２本分の厚みｔに納まる大きさではなく、フレーム２の外方へ大きく突出している。１つの係合部３２の直径も厚みｔより大きいものとされている。このため、係止突起３の係合の強度は、従来のものよりも高められている。図４に示すように、係止突起３は、フレーム２同士が密接せずとも係合部３２を係合させた中間係合も可能とされている。
【００２５】
口金１は、さらに、フレーム２に曲部２３が備えられている。図２に示すように、曲部２３は、対向するフレーム２が互いに離間する方向に湾曲されて形成され、フレーム２同士が外側へ膨らむように設けられている。
【００２６】
図３に示すように、曲部２３は、開いた状態の一対のフレーム２において、回動部２１の両側に配設されている。また、図１に示すように、曲部２３は、フレーム２における支持部３１の結合位置と、回動部２１との間に位置するように設けられている。１本のフレーム２においては、両端部の回動部２１の近傍に曲部２３が設けられている。このような曲部２３の位置は、フレーム２の大きさにより、さらに回動部２１寄りに設けられても、回動部２１から離間させて設けられてもよい。
【００２７】
フレーム２は、曲部２３を有することにより、係止突起３が係合されたとき、係合部３２が完全係合状態にあっても、中間係合状態にあっても、対向するフレーム２間には隙間２５が設けられたものとなる。
【００２８】
口金１は、係止突起３の係合部３２が大きく形成されているので、従来のものよりも係合による押圧力が大きく、しっかりと係合させることができ、完全係合状態を安定的に維持することが可能とされている。また、フレーム２には曲部２３が設けられているので、係止突起３を係合させたとき、対向するフレーム２間に隙間２５を設けることができる。このため、口金１は、フレーム２間に布や糸などの各種素材が挟まれた状態であっても、係止突起３を係合させて閉じることが可能とされる。
【００２９】
なお、口金１において、フレーム２の形状は、前記のように略コ字状であるに限られず、略円弧形、略アーチ形、深いアーチ形など、両端部が回動可能に連結された形状であればどのような形状とされてもよい。また、係止突起３の形状も、係合部３２が略球形であるに限られず、立方体であるなど、どのような形状であってもよい。曲部２３の湾曲形状および配設位置も、例示したものに限定されず、どのように構成されてもよい。
【００３０】
次に、口金１を用いて形成された本発明の実施の形態に係る小物入れ１０について説明する。図５〜図７は、実施の形態に係る小物入れ１０を示し、図５は側面図、図６および図７はその斜視図である。
【００３１】
図５に示すように、小物入れ１０は、口金１と袋状の本体部１１とを有している。本体部１１は、糸１２を編み上げて形成された編物（編地）からなる。例えば、本体部１１は、かぎ針や棒針等の編み針を用いて編まれている。本体部１１を構成する糸１２は、かぎ針や棒針等の各種の編み針を用いて編むことができる糸であれば、毛糸などの紡績糸のほか、麻糸、絹糸など、天然繊維系であるか合成繊維系であるかを問わずどのような繊維からなる糸であってもよい。
【００３２】
図６に示すように、本体部１１は、口金１の一対のフレーム２に取り付けられている。この場合、編み上げられた本体部１１の縁部に、フレーム２が編み込まれることで口金１に取り付けられている。
【００３３】
従来の口金７０を用いた場合には、図８に示したように、編地７３を外側フレーム材７１と内側フレーム材７２との間に挟み込み、取り付け孔７４を介して糸７５で縫い付けるか、図９に示したように、編地７３を外側フレーム材７１の外面にあてがって、糸７５で縫い付けなければならなかった。このように編地７３を口金７０に縫い付けることで、対向する内側フレーム材７２同士の間に編地７３を介在させず、内側フレーム材７２同士が互いに密接しうるように取り付けなければならなかった。
【００３４】
これに対して、小物入れ１０に、実施の形態に係る口金１を用いることで、フレーム２を本体部１１で編みくるむようにして、本体部１１を口金１に取り付けることが可能とされる。小物入れ１０において、棒状体のフレーム２は、ほぼ全周が本体部１１を編んだ糸１２で覆われ、本体部１１の縁部に組み込まれる。
【００３５】
また、図７に示すように、フレーム２は本体部１１を構成する糸に覆われるとともに、対向するフレーム２同士の間にも編地が存在している。係止突起３は、支持部３１が部分的に編地で覆われるが、支持部３１の略半部および係合部３２は露出されている。
【００３６】
口金１への本体部１１の取付作業は、フレーム２の断面形状が円形または楕円形の閉断面の棒状体により形成されていることから、糸１２にほつれや引っ掛かりを生じることなくスムーズに編み込むことが可能であり、本体部１１を編むのと同様の要領で容易に行うことができる。
【００３７】
このように本体部１１が口金１に取り付けられることにより、口金１を開くことで内部に小物等を収納することが可能な小物入れ１０が形成される。小物入れ１０は、図５に示すように、口金１を閉じると、係合部３２が完全係合状態となる。フレーム２は隙間２５が設けられているので、フレーム２同士の間に編地（糸１２）が存在しても、押圧されて偏平し、口金１を閉じることができる。また、フレーム２の隙間２５はフレーム２を編み込んだ編地で塞がれ、収納した小物等が外へ出てしまうおそれはない。
【００３８】
このように、口金１は、編物で構成された本体部１１を有する小物入れ１０に好適なものとすることができる。本体部１１を構成する糸１２の種類は限定されず、好みに応じた多様な糸を使って小物入れ１０を作ることができる。また、フレーム２の隙間２５は本体部１１で塞がれるので、小物入れ１０の用途も特に制限されることがなく、例えば身の回りの物を収納する袋とされるほか、お金を入れて財布としても使用することが可能である。
【００３９】
なお、本体部１１は、例えば略円形の平面形状に編まれた編地により構成されても、袋状に編まれた編地により構成されても、また、複数の編地を縫い合わせて形成されたものであっても、どのようなものであってもよい。また、本体部１１には、裏地布等が添えられてもよい。いずれの構成とされても、実施の形態に係る口金１を用いた小物入れ１０とすることにより、小物入れ１０の作成時に、本体部１１を構成する糸と同種の糸を用いて口金１に取り付けることができるので、手間や煩わしさが軽減されて、手作りすることをより一層楽しむことが可能となる。
【００４０】
本発明に係る口金１および小物入れ１０は、前記実施の形態以外にも他の様々な形で実施することができる。例えば、口金１は編物からなる本体部１１が取り付けられて用いられるだけでなく、他の袋状の素材が取り付けられてもよく、前記形態に限定されない。そのため、前記実施の形態は例示であり、限定的なものではない。
【産業上の利用可能性】
【００４１】
本発明は、がま口などの小物入れに好適に利用可能である。
【符号の説明】
【００４２】
１    口金
２    フレーム
２１  回動部
２２  連結軸
２３  曲部
２４  中央部
２５  隙間
３    係止突起
３１  支持部
３２  係合部
１０  小物入れ
１１  本体部
１２  糸
【図１】
2020018491.tif 000003
【図２】
2020018491.tif 000004
【図３】
2020018491.tif 000005
【図４】
2020018491.tif 000006
【図５】
2020018491.tif 000007
【図６】
2020018491.tif 000008
【図７】
2020018491.tif 000009
【図８】
2020018491.tif 000010
【図９】
2020018491.tif 000011
【図１０】
2020018491.tif 000012